【手続補正書】
【提出日】平成19年8月23日(2007.8.23)
【手続補正１】
【補正対象書類名】明細書
【補正対象項目名】特許請求の範囲
【補正方法】変更
【補正の内容】
【特許請求の範囲】
【請求項１】  中央に発光部を有し、両側に封止部を有する発光管と、前記封止部内に配設され、かつ前記発光管に融着された電流導入用金属箔と、前記電流導入用金属箔に接続された電流導入用金属棒と、前記電流導入用金属棒と給電線とを接合する接合部と、前記接合部を覆うように設けられ、かつ空気孔を有する口金とを備えた放電灯であって、
前記口金は、外部から供給される冷却用気体を前記空気孔から前記接合部へ伝搬させるとともに、冷却用気体を前記口金の外周面から前記発光管の外周面へ伝搬させるように構成されていることを特徴とする放電灯。
【請求項２】  中央に発光部を有し、両側に封止部を有する発光管と、前記封止部内に配設され、かつ前記発光管に融着された電流導入用金属箔と、前記電流導入用金属箔に接続された電流導入用金属棒と、前記電流導入用金属棒と給電線とを接合する接合部と、前記接合部を覆うように設けられた口金とを備えた放電灯を複数の冷却ノズルから噴射した冷却用気体で冷却する際に、前記口金に空気孔をあけ、一つの口金に対して一つ以上の冷却ノズルから噴射した冷却用気体を前記空気孔を介して前記口金の内部に供給することで前記接合部を冷却し、他の一つ以上の冷却ノズルから噴射した冷却用気体を前記口金の外周面から前記発光管の外周面へ伝搬させることで前記封止部および発光部を冷却することを特徴とする放電灯の冷却方法。
【手続補正２】
【補正対象書類名】明細書
【補正対象項目名】０００５
【補正方法】変更
【補正の内容】
【０００５】
図６は、図５における陽極側の封止部、および口金の内部の構造を示す断面図である。この図に示すように、第２石英ガラス棒10の一端（陽極側の端）には第２内部リード６が挿入されている。また、第２石英ガラス棒10の他端には電流導入用金属棒14の先端側が挿入されている。電流導入用金属棒14の後端側は接合部16を介して給電線15が接続されている。さらに、第２石英ガラス棒10の外周面には電流導入用金属箔（図示せず）が配置され、発光管２の内面に溶融密着されている。そして、前記接合部16を覆うように第２口金12が配設されている。以上、陽極側の封止部について説明したが、陰極側の構造も同様である。
【手続補正３】
【補正対象書類名】明細書
【補正対象項目名】０００７
【補正方法】変更
【補正の内容】
【０００７】
以上のように構成された放電灯の点灯中での理想的な冷却バランスについて説明する。まず発光部は、低温時の水銀の未蒸発や、高温時の破裂の危険性を回避するために、５００〜８００℃が理想である。また、封止部は電流導入用金属箔の熱膨脹による封止部クラックや前記金属箔の発光部側の剥がれの誘発を防止するために、４００℃以下が理想である。さらに、給電線15と電流導入用金属棒14との接合部16は、接合部16およびその周辺の酸化やそれに伴う電流導入用金属棒14の熱膨脹による封止部クラックの発生を防止するために、１００℃以下が理想である。そして、このような理想的な冷却バランスを作成するために、放電灯の口金に気体（空気、窒素ガスなど）を吹きつける方法が一般的に行われていた。
【手続補正４】
【補正対象書類名】明細書
【補正対象項目名】０００９
【補正方法】変更
【補正の内容】
【０００９】
図７は、空気孔のない口金に冷却用気体を吹きつけた場合を示す図である。この図の（ａ）は斜視図であり、（ｂ）は口金の部分の水平断面である。図７に示すよに、同一水平面内で９０°異なるＡ、Ｂの方向の冷却ノズルにより、空気孔のない口金12に対して冷却用気体を吹きつけた場合には、給電線15と電流導入用金属棒14との接合部16が適正温度内（１００℃以下）となるように冷却すると、冷却用気体の流量が膨大になり、発光部が冷却されすぎてしまい、水銀の未蒸発が発生してしまう。その理由は、図７（ａ）に示すように、口金12に衝突した冷却用気体が図のＥ１、Ｆ１に示すように発光管２へと回り、その温度を低下させるからである。
【手続補正５】
【補正対象書類名】明細書
【補正対象項目名】００１８
【補正方法】変更
【補正の内容】
【００１８】
【課題を解決するための手段】
本発明に係る放電灯は、中央に発光部を有し、両側に封止部を有する発光管と、前記封止部内に配設され、かつ前記発光管に融着された電流導入用金属箔と、前記電流導入用金属箔に接続された電流導入用金属棒と、前記電流導入用金属棒と給電線とを接合する接合部と、この接合部を覆うように設けられ、かつ空気孔を有する口金とを備えた放電灯であって、前記口金は、外部から供給される冷却用気体を前記空気孔から前記接合部へ伝搬させるとともに、冷却用気体を前記口金の外周面から前記発光管の外周面へ伝搬させるように構成されていることを特徴とする。この構成により、放電灯を冷却する際に、冷却用気体の一部で接合部を冷却し、他の一部で封止部および発光部を冷却することができるので、膨大な量の冷却用気体を使用せずに理想的な冷却バランスを作成することができる。
【手続補正６】
【補正対象書類名】明細書
【補正対象項目名】００１９
【補正方法】変更
【補正の内容】
【００１９】
また、本発明に係る放電灯の冷却方法は、中央に発光部を有し、両側に封止部を有する発光管と、前記封止部内に配設され、かつ前記発光管に融着された電流導入用金属箔と、前記電流導入用金属箔に接続された電流導入用金属棒と、、前記接合部を覆うように設けられた口金とを備えた放電灯を複数の冷却ノズルから噴射した冷却用気体で冷却する際に、前記口金に空気孔をあけ、一つの口金に対して一つ以上の冷却ノズルから噴射した冷却用気体を前記空気孔を介して前記口金の内部に供給することで前記接合部を冷却し、他の一つ以上の冷却ノズルから噴射した冷却用気体を前記口金の外周面から前記発光管の外周面へ伝搬させることで前記封止部および発光部を冷却することを特徴とする。この構成により、冷却用気体の一部で接合部を冷却し、他の一部で封止部および発光部を冷却することができるので、膨大な量の冷却用気体を使用せずに理想的な冷却バランスを作成することができる。
【手続補正７】
【補正対象書類名】明細書
【補正対象項目名】００２５
【補正方法】変更
【補正の内容】
【００２５】
このように、本発明の実施の形態によれば、Ｂの方向に噴射した冷却用気体により接合部およびその周辺の温度を抑制することができるので、電流導入用金属箔が高温になり熱膨脹することにより発生する封止部クラックを防止することができる。また、発光部への大量の冷却用気体の回り込みがなくなるため、過冷却による水銀の未蒸発の発生も防止することができる。さらに、Ａの方向に噴射した冷却用気体により封止部および発光部を冷却することができるため、発光部が高温となることによる放電灯の短寿命化や破裂の危険性の増加、および封止部が高温となることによる電流導入用金属箔の熱膨脹による封止部クラックや前記金属箔の発光部側密着剥がれを防止することができる。
【手続補正８】
【補正対象書類名】図面
【補正対象項目名】図１
【補正方法】変更
【補正の内容】
【図１】
2002075282.tif 000001
【手続補正９】
【補正対象書類名】図面
【補正対象項目名】図２
【補正方法】変更
【補正の内容】
【図２】
2002075282.tif 000002
【手続補正１０】
【補正対象書類名】図面
【補正対象項目名】図６
【補正方法】変更
【補正の内容】
【図６】
2002075282.tif 000003